(57)【要約】【課題】  ペットが真っ暗闇の中でも、その設置場所を容易に視認することのできるペット用トイレを提供する。【解決手段】  横幅の異なる２つの塵取状の本体半部４ａ，４ｂを伸縮可能に嵌合して箱状のトイレ本体１を構成し、各本体半部４ａ，４ｂの周壁１ａに、水平方向に細長状の窓穴２を形成すると共に、両本体半部４ａ，４ｂの対応する両窓穴２，２の一部が重なって連通する如く形成し、前記窓穴２の周囲を外方に向って幅狭となるテーパー状に形成し、該テーパー窓穴２に合致するテーパーを周囲に付けた光蓄発プレート３をテーパー窓穴２に嵌合固着して塞ぐと共に、光蓄発プレート３の内外面と周壁１ａの内外面とを面一に形成し、且つ光蓄発プレート３が、前記周壁１ａの内面と外面の両方から視認できるようにしてある。窓穴２が位置的に、外壁・内壁共に一致するように形成してあるので、光蓄発プレートが、蛍光灯等の採光をする場合に、内側から採光しても、同時に外側の光蓄発プレートも採光が可能である。【選択図】      図１０
2007222156.tif 000002
【特許請求の範囲】
【請求項１】
犬や猫などのペットが使用するトイレであって、箱状のトイレ本体（１）の任意の周壁（１ａ）に，水平方向に細長状の窓穴（２）を形成し、前記窓穴を光蓄発プレート（３）で塞ぎ、前記光蓄発プレートが，前記周壁の内面と外面の両方から視認できるようにしたことを特徴とするペット用トイレ。
【請求項２】
犬や猫などのペットが使用するトイレであって、箱状のトイレ本体（１）の任意の周壁（１ａ）に，水平方向に細長状の窓穴（２）を形成し、前記窓穴の周囲を外方に向って幅狭となるテーパー状に形成し、該テーパー窓穴に合致するテーパーを周囲に付けた光蓄発プレート（３）をテーパー窓穴に嵌合固着して塞ぐと共に光蓄発プレート（３）の内外面と周壁の内外面とを面一に形成し、且つ前記光蓄光プレートが，前記周壁の内面と外面の両方から視認できるようにしたことを特徴とするペット用トイレ。
【請求項３】
犬や猫などのペットが使用するトイレであって、箱状のトイレ本体（１）の任意の周壁（１ａ）に水平方向に細長状の窓穴（２）を形成し、前記窓穴を，該窓穴よりやや大きい光蓄発プレート（３）で覆って塞ぎ、前記光蓄発プレートが，前記周壁の内面と外面の両方から視認できるようにしたことを特徴とするペット用トイレ。
【請求項４】
犬や猫などのペットが使用するトイレであって、箱状のトイレ本体（１）の任意の周壁（１ａ）に，水平方向に細長状の窓穴（２）を形成し、前記窓穴を，前記周壁の一面から該窓穴よりやや大きい光蓄発プレート（３）で覆って塞ぐと共に，前記光蓄発プレート（３）の任意の箇所を，前記周壁に固定具（５）で固定し、前記光蓄光プレートが，前記周壁の内面と外面の両方から視認できるようにしたことを特徴とするペット用トイレ。
【請求項５】
犬や猫などのペットが使用するトイレであって、横幅の異なる２つの塵取状の本体半部（４ａ，４ｂ）を伸縮可能に嵌合して箱状のトイレ本体（１）を構成し、各本体半部の周壁（１ａ）に、水平方向に細長状の窓穴（２）を形成すると共に、両本体半部の対応する両窓穴が重なって連通する如く形成し、前記窓穴の周囲を外方に向って幅狭となるテーパー状に形成し、該テーパー窓穴に合致するテーパーを周囲に付けた光蓄発プレート３をテーパー窓穴に嵌合固着して塞ぐと共に、光蓄発プレートの内外面と周壁の内外面とを面一に形成し、且つ光蓄発プレートが、前記周壁の内面と外面の両方から視認できるようにしたことを特徴とするペット用トイレ。
【発明の詳細な説明】
【技術分野】
【０００１】
本発明は、犬や猫などのペットが使用するトイレに関するものである。
【背景技術】
【０００２】
マルチーズやプードルなどの主として室内で飼育される各種の室内犬や猫は、一般に、夜、室内で運動し、早朝に排泄する。また、室内犬などは、子犬のときに躾をすることによって、同一場所で排泄をするようになる。
【０００３】
こうしたことから、通常、室内犬や猫の排泄場所を、所定の床上に防水シートを敷き、その上に新聞紙を置いて設けている場合が多い。この上に排泄された尿は、新聞紙で吸収させ、便は、当該新聞紙でくるんで処理している。
【０００４】
しかし、こうした従来の方法では、新聞紙が尿を完全に吸収することができないので不衛生である。また、便を処理する場合、新聞紙を防水シートから離し、当該新聞紙のみで糞尿をくるむので衛生的ではない。さらに、その際、新聞紙を防水シートから離す作業を必要とするので、その処理作業が面倒であるといった問題がある。
【０００５】
それに加えて、特に問題となるのは、夜中などにおいて、排泄場所が真っ暗闇の場合、室内犬が誤って新聞紙の周囲に糞尿をする場合があることである。
【０００６】
こうした犬や猫の糞尿を処理する道具としては、これまでに携帯用のトイレが創案されている（例えば、特許文献１参照）。従って、これを室内に設置して使用することも可能ではある。
【特許文献１】実開平７−３４６５２号公報
【発明の開示】
【発明が解決しようとする課題】
【０００７】
しかし、この従来の携帯用トイレは、新聞紙の場合と同様に、夜中などにおいて排泄場所が真っ暗闇の場合は視認することができないといった問題を依然として抱えている。
【０００８】
本発明はこうした問題に鑑み創案されたもので、ペットが真っ暗闇の中でも、その設置位置を容易に視認することのできるペット用トイレを提供することを課題とする。
【課題を解決するための手段】
【０００９】
図１乃至図６を参照して説明する。請求項１に記載のペット用トイレは、犬や猫などのペットが使用するトイレであって、箱状のトイレ本体１の任意の周壁１ａに水平方向に細長状の窓穴２を形成し、光蓄発プレート３で塞ぎ、前記光蓄発プレート３が、前記周壁１ａの内面と外面の両方から視認できるようにしたことを特徴とするものである。
【００１０】
請求項２に記載のペット用トイレは、犬や猫などのペットが使用するトイレであって、箱状のトイレ本体１の任意の周壁１ａに、犬や猫などのペットが使用するトイレであって、箱状のトイレ本体１の任意の周壁１ａに、水平方向に細長状の窓穴２を形成し、前記窓穴２の周囲を外方に向って幅狭となるテーパー状に形成し、該テーパー窓穴２に合致するテーパーを周囲に付けた光蓄発プレート３をテーパー窓穴２に嵌合固着して塞ぐと共に光蓄発プレート３の内外面と周壁１ａの内外面とを面一に形成し、且つ光蓄光プレート３が、前記周壁１ａの内面と外面の両方から視認できるようにしたことを特徴とするものである。
【００１１】
請求項３に記載のペット用トイレは、犬や猫などのペットが使用するトイレであって、箱状のトイレ本体１の任意の周壁１ａに水平方向に細長状の窓穴２を形成し、前記窓穴２を、当該窓穴２よりやや大きい光蓄発プレート３で覆って塞ぎ、前記光蓄発プレート３が、前記周壁１ａの内面と外面の両方から視認できるようにしたことを特徴とするものである。
【００１２】
請求項４に記載のペット用トイレは、犬や猫などのペットが使用するトイレであって、箱状のトイレ本体１の任意の周壁１ａに、水平方向に細長状の窓穴２を形成し、前記窓穴２を、前記周壁１ａの一面から当該窓穴２よりやや大きい光蓄発プレート３で覆って塞ぐと共に、前記光蓄発プレート３の任意の箇所を、前記周壁１ａに固定具５で固定し、前記光蓄光プレート３が、前記周壁１ａの内面と外面の両方から視認できるようにしたことを特徴とするものである。
【００１３】
請求項５に記載のペット用トイレは、犬や猫などのペットが使用するトイレであって、横幅の異なる２つの塵取状の本体半部４ａ，４ｂを伸縮可能に嵌合して箱状のトイレ本体１を構成し、各本体半部４ａ，４ｂの周壁１ａに、水平方向に細長状の窓穴２を形成すると共に、両本体半部４ａ，４ｂの対応する両窓穴２，２が重なって連通する如く形成し、前記窓穴２の周囲を外方に向って幅狭となるテーパー状に形成し、該テーパー窓穴２に合致するテーパーを周囲に付けた光蓄発プレート３をテーパー窓穴２に嵌合固着して塞ぐと共に、光蓄発プレート３の内外面と周壁１ａの内外面とを面一に形成し、且つ光蓄発プレート３が、前記周壁１ａの内面と外面の両方から視認できるようにしたものである。
【発明の効果】
【００１４】
請求項１〜５に記載のペット用トイレは、トイレ本体１の周壁１ａに形成した窓穴２を光蓄発プレート３で塞ぎ、当該光蓄発プレート３が周壁１ａの内面と外面の両方から視認できるようにしたので、真っ暗闇の中でも、ペットはその存在位置を容易に見つけ出すことができる。
【００１５】
すなわち、光蓄発プレート３を、例えば周壁１ａの内面または外面に設けて、当該周壁１ａの内面側のみあるいは外面側のみから視認できるようにした場合とは異なり、一つの光蓄発プレート３を周壁１ａの内面と外面の両方から視認できるようにしたので、ペットはその設置位置をあらゆる方向から容易に知ることができる。従って、その中の排泄場所に正確に排泄することができる。
【００１６】
また、一つの光蓄発プレート３を周壁１ａの内面側と外面側の両方から視認できるようにしたので、例えば、周壁１ａの内面側と外面側の両方に光蓄発プレート３を設けた場合と比較して、光蓄発プレート３の数を半分に減らすことができるので生産性に優れる。
【００１７】
また、窓穴２および光蓄発プレート３を水平方向に細長状に形成したので、光蓄発プレート３の存在箇所を広げることとなり、ペットはその設置位置を、さらに容易に視認することができる。
【００１８】
また、請求項２又は５に記載のペット用トイレは、光蓄発プレート３の内外面と周壁１ａの内外面とが面一なので、著しく取扱いが容易である。また、窓穴２が位置的に、外壁・内壁共に一致するように形成してあるので、光蓄発プレートが、蛍光灯等の採光をする場合に、内側から採光しても、同時に外側の光蓄発プレートも採光が可能である。
【発明を実施するための最良の形態】
【００１９】
本発明に係るペット用トイレの一実施形態を、図１乃至図５に示す。これは、室内で飼う犬や猫などのペットが使用するトイレであり、箱状のトイレ本体１の周壁１ａに、水平方向に細長状の窓穴２を形成し、その窓穴２を、周壁１ａの外面から当該窓穴２よりやや大きい光蓄発プレート３で覆って塞いでいる。
【００２０】
また、光蓄発プレート３の左右両端部を固定具５例えばタッピングネジにより周壁１ａに固定している。これにより、光蓄発プレート３が、周壁１ａの内面と外面の両方から視認できるようにしている。
【００２１】
この光蓄発プレート３は、長残光性光蓄発プレートの鉱石を、透明樹脂ペレットと共に金型で細長板状に成形したものである。また、この光蓄発プレート３は、明るいとき吸収した光を、暗くなると発光する性質を有するものである。
【００２２】
本実施形態に係るペット用トイレは、トイレ本体１の周壁１ａに形成した窓穴２を光蓄発プレート３で覆って定置し、当該光蓄発プレート３が周壁１ａの内面と外面の両方から視認できるようにしたので、夜中などの真っ暗闇の中でも、ペットはその設置位置を容易に見つけることができる。これにより、排泄場所に正確に排泄することができる。
【００２３】
また、一つの光蓄発プレート３を周壁１ａの内面側と外面側の両方から視認できるようにしたので、例えば、周壁１ａの内面側と外面側の両方に光蓄発プレート３を設ける場合と比較して、光蓄発プレート３の数を半分にすることができる。従って、製造コストの削減を図って、廉価に提供することができる。
【００２４】
また、窓穴２および光蓄発プレート３を水平方向に細長状に形成したので、光蓄発プレート３の存在箇所を広げることとなり、ペットはその設置位置を、さらに容易に視認することができる。
【００２５】
なお、本実施形態に係るペット用トイレは、窓穴２や光蓄発プレート３を左右の二つの周壁１ａのみに設けているが、本発明はこれに限定されるものではなく、例えば、四つの周壁の全てに設けることもできる。また、本実施形態では、トイレ本体１の周壁１ａを細長状とし、窓穴２および光蓄発プレート３をそのほぼ全体にわたって細長状に設けている。
【００２６】
なお、窓穴２および光蓄発プレート３を細長状に設定することにより、光蓄発プレート３の設置面積を大きくすることができるので、より視認し易くなるといった利点がある。さらに、本実施形態では周壁１ａは傾斜状に立設しているが、本発明はこれに限定されず、垂直状に立設することもできる。
【００２７】
また、窓穴２を完全に塞いでいるので、当該トイレを移動させる際に中の糞尿が窓穴２から漏出してしまうといった事態を未然に防止することができる。
【００２８】
なお、このペット用トイレは、その底壁１ｂに液体吸収シートと防水シートからなる吸液シート６を敷いて使用することができる。これにより、ペットの糞尿を、吸液シート６の液体吸収シート６ａで吸収し、かつ、防水シート６ｂで吸収した糞尿の漏出を防止し、汚れた吸液シート６を新たなものと交換することで糞尿を処理するので、衛生的であり、処理作業も容易である。
【００２９】
光蓄発プレート３は、図４・図５に示す如く、蓄光性発光板３ａの外周壁１ａ側に、透明板３ａを重合したものにすることが出来る。
【００３０】
図６に示す如く、周壁１ａの窓穴２の周囲を、外方に向って幅狭となるテーパー状に形成し、光蓄発プレート３の周囲に前記テーパー窓穴２に合致するテーパーを付け、接着剤を介して内側から嵌合固着させ、周壁１ａの内外面と面一に形成することが出来る。
【００３１】
図７，図８は横幅の異なる２つの塵取状の本体半部４ａ，４ｂを伸縮可能に嵌合して伸縮型トイレ本体１を構成したもので、嵌込まれる狭小幅の本体半部４ｂの両側周壁のみ内面側から光蓄発プレート３を取付け、その他の箇所はいずれも外面側から光蓄発プレート３を取付けている。
【００３２】
横幅の異なる２つの塵取状の本体半部４ａ，４ｂを伸縮可能に嵌合して伸縮型トイレ本体１を構成したものにおいても、図９〜１１に示す如く、各本体半部４ａ，４ｂの周壁１ａに、水平方向に細長状の窓穴２を形成すると共に、両本体半部４ａ，４ｂの対応する両窓穴２，２が重なって連通する如く形成し、前記窓穴２の周囲を外方に向って幅狭となるテーパー状に形成し、該テーパー窓穴２に合致するテーパーを周囲に付けた光蓄発プレート３をテーパー窓穴２に嵌合固着して塞ぐと共に、光蓄発プレート３の内外面と周壁１ａの内外面とを面一に形成し、且つ光蓄発プレート３が、前記周壁１ａの内面と外面の両方から視認できるように形成すれば、光蓄発プレート３，３が蛍光灯等の採光をする場合に内側から採光しても、同時に外側の光蓄発プレート３も採光が可能である。
【００３３】
吸液シート６としては、図１２・図１３に示す如く、帯状柔軟液体吸収シート７ｂの帯両端を帯状編みゴムバンド７ｃで連結して伸縮ループ状シート７ａを形成し、伸張状態にしたループ状シート７ａを長方形合成樹脂板７ｄに嵌めて縮小させ、嵌着させたタイプの吸液シート６とすることが出来る。ゴムバンド７ｃ側を下にして底壁１ｂ上に載せて使用する。液体吸収シート６が汚れたときには、伸縮ループ状シート７ｂのみを新しいものに取替えて使用する。
【００３４】
トイレ半部４ａ，４ｂを嵌合して伸縮型にしたものは、底壁１ｂに段差が出来る。この場合においては、図７〜図１０に示す如く、板厚の異なる吸液シート６，６を使用し、両吸液シート６，６の上面を面一にすることが出来る。
【図面の簡単な説明】
【００３５】
【図１】本発明に係るペット用トイレの一実施形態を示す平面図である。
【図２】図１に示すペット用トイレの一部切欠正面図である。
【図３】図１に示すペット用トイレの正面図である。
【図４】図３のＸ−Ｘ線断面図である。
【図５】図３のＹ−Ｙ線断面図である。
【図６】光蓄発プレートの変形例の図５相当図である。
【図７】本発明に係る伸縮型トイレの実施形態を示す一部切欠平面図である。
【図８】図７に示す伸縮型トイレの部分切断一部切欠正面図である。
【図９】本発明に係る伸縮型トイレの異なる実施形態を示す一部切欠平面図である。
【図１０】図９に示すペット用トイレの一部切欠正面図である。
【図１１】図１０のＱ−Ｑ断面相当図である。
【図１２】吸液シートの図１３のＴ−Ｔ垂直切断正面図である。
【図１３】吸液シートの変形例の一部切欠底面図である。
【符号の説明】
【００３６】
１          トイレ本体
１ａ        周壁
１ｂ        底壁
２          窓穴
３          光蓄発プレート
３ａ        蓄光性発光板
３ｂ        透明板
４ａ，４ｂ  トイレ半部
５          固定具
６          吸液シート
６ａ        液体吸収シート
６ｂ        防水シート
７ａ        伸縮ループ状シート
７ｂ        液体吸収シート
７ｃ        帯状編みゴムバンド
７ｄ        合成樹脂板
【図１】
2007222156.tif 000003
【図２】
2007222156.tif 000004
【図３】
2007222156.tif 000005
【図４】
2007222156.tif 000006
【図５】
2007222156.tif 000007
【図６】
2007222156.tif 000008
【図７】
2007222156.tif 000009
【図８】
2007222156.tif 000010
【図９】
2007222156.tif 000011
【図１０】
2007222156.tif 000012
【図１１】
2007222156.tif 000013
【図１２】
2007222156.tif 000014
【図１３】
2007222156.tif 000015